(57)【特許請求の範囲】
【請求項１】
アルミニウム製の角パイプで形成されて、足場板載置部を有する水平支柱、該水平支柱の後端部に下端が固着され上端に後方に突出しトラックの荷台に係止可能な断面コ字状の支柱係止部を有する垂直支柱、前記水平支柱の前端部に下方に垂直状態で延設された脚支柱、及び前記水平支柱と前記垂直支柱との間に固着された傾斜支柱を有する左右一対の足場支柱と、
アルミニウム製の板体で形成されて、長手方向両端部に固着され前記水平支柱の足場板載置部の長手方向全域に上方から三面で係止可能な断面コ字状の足場板係止部、及び表面の前後端縁全域に突出形成されたリブと表面の中央部分に上方に所定形状で突出形成され側面が開口した多数の突起部からなる滑り止めを有する足場板と、を備え、
前記左右一対の足場支柱の前記支柱係止部を前記トラックの荷台に着脱可能に係止させて取り付けることにより、前記足場板が前記荷台の外面側に水平状態でかつ前記脚支柱の下端が地面と所定の隙間を有した状態で設置されると共に、この設置状態で作業者が前記足場板に乗った際に、前記脚支柱の下端が地面に接触可能に形成されていることを特徴とするトラック用引っ掛け足場。
【請求項２】
前記脚支柱は、その高さが調節可能に構成されていることを特徴とする請求項１に記載のトラック用引っ掛け足場。
【請求項３】
前記垂直支柱の高さ方向の所定位置に、前記トラックの荷台のあおりを倒した状態で前記足場支柱を荷台に係止可能な第２の支柱係止部が設けられていることを特徴とする請求項１または２に記載のトラック用引っ掛け足場。
【請求項４】
前記第２の支柱係止部は、前記垂直支柱に対して着脱可能に取り付けられていることを特徴とする請求項３に記載のトラック用引っ掛け足場。
【発明の詳細な説明】
【技術分野】
【０００１】
本発明は、トラックの荷台のあおり等に引っ掛けることで、荷台上に搭載された収納棚への苗箱等の出し入れ作業や、各種作業時の作業者の荷台への乗降を簡単かつ安全に行えるトラック用引っ掛け足場に関する。
【背景技術】
【０００２】
一般的に、田植えを行う際に田植機にセットされる苗箱は、軽トラックの荷台上に搭載された多段式の収納棚に収納されて圃場まで運搬される。この圃場に運搬された苗箱は、荷台上の収納棚から取り出し田植機に所定枚数セットして、田植えが行われるようになっている。従来、この軽トラックの荷台上の収納棚に対する苗箱の出し入れ（収納及び取り出し）作業は、作業者が地面上で行うかあるいは軽トラックの荷台上に乗って行っている。なお、この種の作業用の足場に関する先行技術文献は存在しない。
【発明の概要】
【発明が解決しようとする課題】
【０００３】
しかしながら、このような苗箱の収納棚に対する出し入れ作業にあっては、高さの高い収納棚を使用する場合に、これが軽トラックの荷台上に搭載されることから、その全高が一層高くなって、地面上にいる作業者の手が収納棚の上部まで届かない場合がある。このような場合、作業者が荷台に乗って苗箱を出し入れする必要があり、作業の安全性の面で好ましくなく、また、荷台に乗っての作業の場合、収納棚に出し入れする苗箱を受け取ったり受け渡しするもう一人の作業者が必要になる等、複数人による取り出し作業となって、収納棚に対する苗箱の出し入れ作業の効率が劣る。
【０００４】
本発明は、このような事情に鑑みてなされたもので、その目的は、トラックの荷台外面側に足場を簡単に設置できて、荷台上の収納棚に対する苗箱等の出し入れ作業や作業者の荷台への乗降を簡単かつ安全に行うことができ、その作業の効率化を図ることが可能なトラック用引っ掛け足場を提供することにある。
【課題を解決するための手段】
【０００５】
かかる目的を達成すべく、本発明のうち請求項１に記載の発明は、アルミニウム製の角パイプで形成されて、足場板載置部を有する水平支柱、該水平支柱の後端部に下端が固着され上端に後方に突出しトラックの荷台に係止可能な断面コ字状の支柱係止部を有する垂直支柱、前記水平支柱の前端部に下方に垂直状態で延設された脚支柱、及び前記水平支柱と前記垂直支柱との間に固着された傾斜支柱を有する左右一対の足場支柱と、アルミニウム製の板体で形成されて、長手方向両端部に固着され前記水平支柱の足場板載置部の長手方向全域に上方から三面で係止可能な断面コ字状の足場板係止部、及び表面の前後端縁全域に突出形成されたリブと表面の中央部分に上方に所定形状で突出形成され側面が開口した多数の突起部からなる滑り止めを有する足場板と、を備え、前記左右一対の足場支柱の前記支柱係止部を前記トラックの荷台に着脱可能に係止させて取り付けることにより、前記足場板が前記荷台の外面側に水平状態でかつ前記脚支柱の下端が地面と所定の隙間を有した状態で設置されると共に、この設置状態で作業者が前記足場板に乗った際に、前記脚支柱の下端が地面に接触可能に形成されていることを特徴とする。
【０００６】
また、請求項２に記載の発明は、前記脚支柱が、その高さが調節可能に構成されていることを特徴とする。また、請求項３に記載の発明は、前記垂直支柱の高さ方向の所定位置に、前記トラックの荷台のあおりを倒した状態で前記足場支柱を荷台に係止可能な第２の支柱係止部が設けられていることを特徴とする。さらに、請求項４に記載の発明は、前記第２の支柱係止部が、前記垂直支柱に対して着脱可能に取り付けられていることを特徴とする。
【発明の効果】
【０００９】
本発明のうち請求項１に記載の発明によれば、一対の足場支柱の支柱係止部をトラックの荷台に係止させることにより、水平支柱の足場板載置部に足場板係止部が載置係止された足場板が、荷台外面側に略水平状態で設置されるため、トラックの荷台外面側に足場を簡単に設置できて、荷台上への作業者の乗降や、荷台の収納棚に対する苗箱等の出し入れ作業を一人の作業者でも簡単かつ安全に行うことができると共に、足場板係止部により脱着可能な足場支柱と足場板とで足場の組み立てや分解を簡単に行うことができて、出し入れ作業等の作業の効率化を図ることが可能になる。
【００１０】
また、水平支柱の前端部に下方に略垂直状態で延設された脚支柱を有するため、足場支柱をトラックの荷台に取り付けて足場板上に作業者が乗った場合に、脚支柱の下端が地面に当接（接触）することで足場支柱の前方への傾動を防止でき、トラックの荷台の外面側に安定した足場を設置することができる。
【００１１】
さらに、左右一対の足場支柱がアルミニウム製の角パイプで形成されると共に、垂直支柱の支柱係止部が荷台のあおり上端に係止可能な断面コ字状に形成されているため、足場支柱の軽量化を図ることができると共に、支柱係止部の形状を簡略化して、荷台への着脱を容易に行うことができる。
【００１２】
また、足場板がアルミニウム製の板体で形成され、足場板係止部が支柱の角パイプ形状に対応した略コ字状に形成されると共に、表面に滑り止めが一体形成されているため、足場板の軽量化を図ることができると共に、足場支柱と足場板を三面で係止できて確実な組み立て状態が得られ、かつ滑り止めで作業者の足の滑りを防止できて、出し入れ作業等の安全性を一層向上させることができる。
【００１３】
またさらに、足場板の滑り止めが、前後端縁に上方に突出形成されたリブと、中央部分に上方に所定形状で突出形成された多数の突起部を有するため、リブで前後端部での滑りを防止できると共に突起部で中央部分の滑りを防止でき、作業者の足の滑りを確実に防止して、出し入れ作業等の安全性をより一層向上させることができる。
【００１４】
また、請求項２に記載の発明によれば、請求項１に記載の発明の効果に加え、脚支柱の高さが調節可能に構成されているため、トラックの荷台の高さに応じて脚支柱の高さを予め調節しておくことで、荷台の沈み等に的確に対応できて、足場使用時の足場板等の傾動を防止できると共に、足場支柱と荷台の係止部分に過度な負荷が加わるのを防止することができる。
【００１５】
また、請求項３に記載の発明によれば、請求項１または２に記載の発明の効果に加え、垂直支柱の高さ方向の所定位置に、トラックの荷台のあおりを倒した状態で足場支柱を荷台に係止可能な第２の支柱係止部が設けられているため、第２の支柱係止部を荷台に直接係止することで、作業者が垂直支柱の上部を手摺りとして使用しつつ、足場板を介して荷台への乗降を行うことができて、トラックの荷台に対する各種作業を安全かつスムーズに行うことができる。
【００１６】
また、請求項４に記載の発明によれば、請求項３に記載の発明の効果に加え、第２の支柱係止部が垂直支柱に対して着脱可能に取り付けられているため、第２の支柱係止部を取り外すことで、垂直支柱の上部の支柱係止部をあおりの上端に確実かつ安定した状態で係止できると共に、２つの支柱係止部の選択使用により足場自体の使い勝手等を向上させることができる。
【図面の簡単な説明】
【００１７】
【図１】本発明に係わるトラック用引っ掛け足場の第１の実施形態を示す斜視図
【図２】同その右側面図
【図３】同足場板の平面図
【図４】同その正面図
【図５】同右側面図
【図６】同図２のＡ部を拡大した断面図
【図７】同軽トラックへの取り付け状態を示す斜視図
【図８】同図７のＢ部を拡大した断面図
【図９】同足場の第２の実施形態を示す右側面図
【図１０】同足場の第３の実施形態を示す右側面図
【図１１】同足場の第４の実施形態を示す右側面図
【図１２】同その脚支柱の断面図及び側面図
【図１３】同脚支柱の変形例を示す断面図及び側面図
【図１４】同足場の第５の実施形態を示す右側面図
【図１５】同その軽トラックへの取り付け状態を示す斜視図
【発明を実施するための形態】
【００１８】
以下、本発明を実施するための形態を図面に基づいて詳細に説明する。
図１〜図８は、本発明に係わるトラック用引っ掛け足場の一実施形態を示している。図１及び図２に示すように、引っ掛け足場１（以下、単に足場１という）は、左右一対の足場支柱２と、この一対の足場支柱２、２間に掛け渡し状態で着脱可能に係止される足場板３とを備えている。
【００１９】
前記左右一対の足場支柱２は、それぞれ同一形状に形成され、所定幅（長さ）Ｗ１（例えばＷ１＝３９０ｍｍ）の水平支柱２ａと、この水平支柱２ａの後端部に上方に略直角状態で溶接固定された所定高さＨ（例えばＨ＝６９０ｍｍ）の垂直支柱２ｂと、垂直支柱２ｂの高さ方向の略中間部と水平支柱２ａの前端部間に溶接固定された補強用の傾斜支柱２ｃと、前記水平支柱２ａの前端部に下方に略直角状態で溶接固定された脚支柱２ｄを有している。そして、これらの各支柱２ａ〜２ｄは、同一外形（断面正方形状）のアルミニウム製の角パイプで形成され、水平支柱２ａと垂直支柱２ｂ等の開口端部には、図６に示すように、支柱２内への水や塵埃等の進入防止及び安全性を高めるための樹脂製キャップ４が嵌合固定されている。
【００２０】
また、前記水平支柱２ａの垂直支柱２ｂ側には、後述する足場板３の長手方向の両端部の係止金具６が載置される足場板載置部２ａ１が設けられ、また、垂直支柱２ｂの上端部の後面には、支柱係止部としての断面コ字状の例えばアルミニウム製の係止金具５が溶接固定されている。また、各足場支柱２の垂直支柱２ｂの高さ方向後面の所定位置（例えば略中間位置）には、ゴム等の緩衝材８が固着されており、この緩衝材８の板厚は、例えば図７に示すように、足場１を軽トラック１０の荷台１１の外側面に取り付けた作業者が足場板３上の乗った際に荷台１１の外面に当接して、足場板３が略水平状態（すなわち垂直支柱２ｂが略垂直状態）となる適宜寸法に設定されている。
【００２１】
さらに、前記脚支柱２ｄの下端には、該支柱２ｄの外形より大きな平板状の接地板２ｄ１が溶接固定されている。この脚支柱２ｄの高さＨ１は、足場１を後述するように軽トラック１０の荷台１１に取り付けた際に、接地板２ｄ１が地面と所定の隙間（例えば２０ｍｍ程度の隙間）を有する如く設定されており、足場板３上に作業者が乗りその体重で脚支柱２ｄの接地板２ｄ１が地面に接触することで、足場支柱２の図２の矢印イに示す前方への所定寸法以上の傾動が規制されるようになっている。
【００２２】
前記足場板３は、図３〜図５に示すように、所定長さＬ（例えばＬ＝７５６ｍｍ）で、所定幅Ｗ２（例えばＷ２＝１８５ｍｍ）程度の平面視長方形状のアルミニウム製の板体３ａを有し、この板体３ａの表面には、滑り止めとしてのリブ３ｂと突起部３ｃがプレス加工等によって一体形成されている。
【００２３】
すなわち、板体３ａの幅方向の両端部である前後端縁に上方に所定寸法（例えば５ｍｍ程度）突出したリブ３ｂが一体形成され、また、板体３ａの表面の中央部分には、上方に所定寸法（例えば３ｍｍ程度）突出し側面が開口した略半球状の突起部３ｃが列状に多数一体形成されている。この滑り止めのうちリブ３ｂにより足場板３の前後端部での足の滑りが防止され、突起部３ｃにより中央部分での足の滑りが防止されるようになっている。なお、滑り止めとしてのリブ３ｂや突起部３ｃは、その形状により板体３ａの補強も兼ねている。
【００２４】
また、板体３ａの長手方向両端部の裏面の幅方向全域には、足場板係止部としての断面コ字状のアルミニウム製の係止金具６が溶接固定されている。この係止金具６は、その内形の寸法が前記水平支柱２ａの足場板載置部２ａ１の外形寸法と略同一に設定されて、足場板載置部２ａ１上に上方から載置されることにより、該載置部２ｄ１に三面の嵌め込み状態で着脱可能に係止されるようになっている。なお、足場板３は、水平支柱２ａの足場板載置部２ａ１上に載置して組み立てた際に、その前端部のリブ３ｂ上端が傾斜支柱２ｃの裏面に略当接可能とすることで、水平支柱２ａに対して前後の移動が規制されるようになっている。
【００２５】
次に、このように構成された足場１の使用方法の一例について説明する。先ず、図７に示すように、軽トラック１０の荷台１１上に搭載される収納棚１２は、例えばアルミニウム製の６本の垂直支柱１２ａと、この垂直支柱１２ａ間を連結する多数本の水平支柱１２ｂを溶接することで多段式（例えば８段式）に形成され、水平支柱１２ｂ上に幅方向の左右両側から、苗箱がその収納方向の前方側が低くなるように傾斜状態で収納されるように構成されている。
【００２６】
そして、田植えの際には、苗箱を保管する場所で足場１が組み立てられる。この組み立ては、足場１が一対の足場支柱２と１枚の足場板３の３つの部材で形成されていることから、これらの部材を準備し、立てた状態の一方の足場支柱２の足場板載置部２ａ１上に足場板３の一方の係止金具６を係止させ、次に、この足場板３の他方の係止金具６を立てた状態の他方の足場支柱２の足場板載置部２ａ１に係止させる。このとき、足場板３と各足場支柱２の水平支柱２ａは、コ字状の係止金具６が正方形状の足場板載置部２ａ１の三面に上方から嵌め込まれる状態で係止され、３つの部材２、２、３が足場１として組み立てられる。
【００２７】
そして、この組み立てられた足場１の一対の垂直支柱２を手で持ち、図７及び図８（ａ）に示すように、各垂直支柱２ｂの係止金具５を軽トラック１０の荷台１１の一方のあおり１１ａの上端に上方からそれぞれ係止させる。このとき、係止金具５は、荷台１１のあおり１１ａの表面に固着されているゴム等からなる緩衝材１１ｂ上に当接状態とされる。これにより、足場１が図７に示すように、軽トラック１０の荷台１１の外面側に取り付けられて、足場１の足場板３が地面から所定高さ位置に設置される。
【００２８】
なお、荷台１１に取り付けられた足場１は、その各垂直支柱２ｂの中間部分が前記緩衝材８を介して荷台１１のあおり１１ａの外面下部に例えば当接すると共に、各足場支柱２の脚支柱２ｄの接地板２ｄ１が地面と所定の隙間を有した状態となる。この状態で、軽トラック１０に取り付けられた足場１の足場板３に作業者が乗ると、作業者の体重で脚支柱２ｄの接地板２ｄ１が下方に移動して地面に接触し、各足場支柱２が前方に大きく傾くこともなく、収納棚１２の上部にも作業者の手が届くことになり、収納棚１２の上部への苗箱の収納作業が一人でも簡単かつ安全に行えることになる。
【００２９】
次に、収納棚１２に所定枚数の苗箱が収納されたら、足場１を荷台１１から取り外す。この取り外しは、足場１を上方に持ち上げ各垂直支柱２ｂの係止金具５を荷台１１のあおり１１ａからそれぞれ外すことで行われ、この取り外した足場１は、３つの部材に分解されて、軽トラック１０の荷台１１上に搭載される。このときの分解は、足場板３の係止金具６を各足場支柱２の足場板載置部２ａ１から取り外すことで行われる。
【００３０】
そして、足場１は軽トラック１０で収納棚１２と共に圃場に運搬され、圃場で前述したと同様に再び組み立てられて、軽トラック１０の荷台１１のあおり１１ａに再び取り付けられる。この軽トラック１０の荷台１１に取り付けられた足場１の足場板３を利用して、作業者により収納棚１２に収納されている苗箱が取り出されて田植機にセットされる。また、田植えが終了して足場１を使用しなくなった場合（例えばシーズンオフ等）は、足場１が３つの部材に分解され、各部材が例えば収納棚１２に収納されて保管される。
【００３１】
つまり、組み立て及び分解可能な一対の足場支柱２と１枚の足場板３の３つの部材で足場１が構成され、この足場１を軽トラック１０の荷台１１の所定のあおり１１ａに取り付けもしくは取り外し可能に構成することで、この足場１を利用して、高さの高い荷台１１上の収納棚１２に対する苗箱の出し入れ作業が一人の作業者でも行えることになる。
【００３２】
なお、足場１の組み立て方法や運搬方法は、以上の例に限定されず、例えば足場１を組み立てる際に、一方の足場支柱２を荷台１０のあおり１１ａに予め係止させた状態で、この足場支柱２に足場板３を組み立て、次に、この足場板３に他方の足場支柱２を組み立てつつ該支柱２の係止金具５をあおり１１ａに係止させるようにしても良い。また、足場１の圃場への運搬も、軽トラック１０の荷台１１上にスペースがある場合は、組み立てたままの状態で荷台１１上に搭載して運搬することも可能である。
【００３３】
このように、前記足場１によれば、各足場支柱２の垂直支柱２ｂの係止金具５を軽トラック１０の荷台１１にそれぞれ係止させることにより、各足場支柱２の水平支柱２ａの足場板載置部２ａ１に足場板３の両端部の係止金具６がそれぞれ載置係止された足場１が、荷台１１の外面側に略水平状態で取り付けられるため、軽トラック１０の荷台１１外面側に足場１を簡単に設置できて、荷台１１上の収納棚１２に対する苗箱の出し入れ作業を、例えば農家の主婦等の女性一人の作業者でも簡単かつ安全に行うことができる。
【００３４】
また、足場１が組み立て及び分解可能な３つの部材で構成されているため、足場１自体の組み立て作業や分解作業を容易に行うことができると共に、足場支柱２の係止金具５の荷台１１のあおり１１ａへの着脱で足場１の取り付けや取り外しができるため、足場１の軽トラック１０に対する着脱作業を簡単に行うことができる。特に、左右一対の足場支柱２がアルミニウム製の角パイプで形成されると共に、垂直支柱２ｂの係止金具５があおり１１ａの上端に係止可能なコ字状に形成されていることから、足場支柱２の軽量化を図ることができると共に、係止金具５の形状を簡略化して、荷台１１への着脱作業を一層容易に行うことができる。
【００３５】
さらに、足場板３がアルミニウム製の板体３ａで形成され、足場支柱２への係止金具６が該支柱２の角パイプ形状に対応したコ字状に形成されているため、足場板３の軽量化を図ることができると共に、足場板３を各足場支柱２に三面で係止できて安定した係止状態が得られる等、足場板３と各足場支柱２の組み立てを確実かつ簡単に行うことができる。
【００３６】
また、各足場支柱２の水平支柱２ａの前端部に下方に略垂直状態で延設（連結）された脚支柱２ｄを有するため、足場支柱２をトラック１０の荷台１１に取り付け足場板３上に作業者が乗った場合に、脚支柱２ｄの下端の接地板２ｄ１を地面に当接させることができ、各足場支柱２の前方への傾動を防止できて、軽トラック１０の荷台１１のあおり１１ａの外面側に安定した足場１を設置することができる。これらにより、この足場１を利用することで、収納棚１２に対する苗箱の出し入れ作業の効率化と安全性の向上を図ることが可能になる。
【００３７】
また、足場板３の板体３ａ表面に滑り止めが一体形成されているため、作業者の足の滑りを防止できて、苗箱の出し入れ作業の安全性を一層向上させることができる。特に、足場板３の滑り止めが、前後端縁に上方に突出形成されたリブ３ｂと、中央部分に上方に所定形状で突出形成された多数の突起部３ｃを有することから、リブ３ｂで前後端部での足の滑りを防止できると共に、突起部３ｃで中央部分での足の滑りを防止できて、作業者の足の滑りをより確実に防止し、例えば足場板３が雨等で濡れている場合でも、苗箱の出し入れ作業の安全性をより一層高めることができる。なお、足場板３上の雨水は、板体３ａの長手方向両端部及び突起部３ｂの側面に設けた前記開口から下方に排水される。
【００３８】
またさらに、足場支柱２にアルミニウム製の角パイプを使用し、足場板３にアルミニウム製の板体３ａを使用すると共に、足場板３の前端部のリブ３ｂを傾斜支柱２ｃに当接させることにより、足場板３の移動を規制しているため、移動防止用の部材を別途設ける必要がなく、足場１の構成を簡略化することができる等、コスト安価な足場１を提供することができて、田植え作業の能率向上に寄与することが可能になる。また、長さＬの異なる複数の足場板３を準備するようにすれば、足場１の使い勝手を一層向上させることもできる。
【００３９】
ところで、前記実施形態において、図８（ｂ）に示すように、足場支柱２の係止金具５の内面にゴム等の緩衝材７を固着して、軽トラック１０の荷台１１のあおり１１ａに緩衝材１１ｂが固着されていない場合であっても、足場１の取り付けや取り外しによるあおり１１ａへの傷付きを防止しても良い。
【００４０】
図９、図１０、図１１及び図１４は、本発明に係わる足場１のそれぞれ他の実施形態等を示している。以下、上記実施形態と同一部位には同一符号を付して説明する。図９に示す足場１は、各足場支柱２の垂直支柱２ｂの高さＨを低くし、垂直支柱２ｂの上端部と水平支柱２ａの前端部間に傾斜支柱２ｃを溶接固定したものである。この形態の足場１は、トラック１０の荷台１１のあおり１１ａの高さが比較的低い場合や足場１をトラック１０の荷台１１面に直接取り付ける場合等に好適に使用される。また、図１０に示す参考例の足場１は、上記実施形態の足場１において、脚支柱２ｄを省略したものであり、この足場１は、トラック１０の荷台１１のあおり１１ａの高さが高く（あおり幅が大きく）、垂直支柱２ｂで各足場支柱２の前方への傾動が規制される場合等に好適に使用される。これらの各足場１においても、上記実施形態の足場１と略同様の作用効果を得ることができる。
【００４１】
また、図１１に示す足場１は、前記脚支柱２ｄを高さ調節可能に構成したものである。すなわち、図１２に示すように、脚支柱２ｄの下端内部に高さ調節用脚支柱２ｄ２を図１１の矢印ロの如く移動可能に嵌挿し、この高さ調節用脚支柱２ｄ２と脚支柱２ｄをピン１５と止め輪１５ａにより係止させる。このとき、脚支柱２ｄの下端部の対向する側面には上下方向に一定間隔（例えば１０ｍｍ程度）で複数個（図では４個）の孔１６が形成され、また高さ調節用脚支柱２ｄ２の上部の対向する側面には、１個の孔１７が形成されている。そして、脚支柱２ｄの所定の孔１６と高さ調節用脚支柱２ｄ２の孔１７間にピン１５を挿通し、このピン１５先端の係止孔に止め輪１５ａを係止させることで、ピン１５により脚支柱２ｄと高さ調節用脚支柱２ｄ２が連結されて、使用する孔１６に応じて脚支柱２ｄの高さＨ１が所定に調節される。なお、高さ調節用脚支柱２ｄ２の下端には、例えば樹脂製の接地板２ｄ１が嵌合固定されている。
【００４２】
この実施形態の足場１においても、上記実施形態の足場１と略同様の作用効果が得られる他に、孔１６の選択により脚支柱２ｄの高さＨ１を所定に設定することで、例えば足場１を軽トラック１０の荷台１１に取り付け、足場板３上に作業者が乗り作業者の体重で荷台１０が沈んだ場合に、脚支柱２ｄの接地板２ｄ１が地面に当接する状態となって足場板３が水平状態に維持される等、足場１に一層安定した設置状態が得られることになる。なお、脚支柱２ｄと高さ調節用脚支柱２ｄ２の連結構造は、図１２に示すピン１５と止め輪１５ａを使用した構成に限らず、例えば図１３に示すように、脚支柱２ｄの孔１６の外面側にナット１９を溶接固定し、このナット１９に蝶ボルト２０をねじ込むことで脚支柱２ｄと高さ調節用脚支柱２ｄ２を高さ調節可能に連結することもできる。
【００４３】
また、図１４に示す足場１は、足場支柱２の垂直支柱２ｂの高さ方向の略中間位置に第２の支柱係止部としての係止金具２０を前記係止金具５と同方向に向けて取り付けたものである。係止金具２０は断面コ字状で前記係止金具５と略同一形状に形成され、該係止金具２０の取付部２０ａが垂直支柱２ｂに設けた取付孔２３を利用して、ボルト２１とナット２２により垂直支柱２ｂに着脱可能に取り付けられている。このとき、係止金具２０は、取り付けや取り外しのために、垂直支柱２ｂの傾斜支柱２ｃの端部が溶接される部位より所定寸法下方（もしくは上方）に取り付けられている。
【００４４】
この実施形態の足場１は、例えば図１５に示すようにして軽トラック１０の荷台１１に取り付けられる。すなわち、軽トラック１０の荷台１１の後面にヒンジ２５により回動可能に取り付けられている後面あおり１１ａ１（もしくは側面あおり）を倒して下方に垂らした状態とし、この状態で後面あおり１１ａ１と荷台１１の後端との間に形成される間隙２４に足場１の垂直支柱２ｂの前記係止金具２０を上方から挿入して係止させる。このとき、支柱２ｂはその上部（係止金具５部分）が荷台１１の上方に延設された状態となっている。そして、この足場１の荷台１１への取付状態で、足場板３を介して作業者が荷台１１に乗ったり荷台１１から降りることができ、この作業者の荷台１１への乗降の際に、垂直支柱２ｂの上部を手摺りとして使用することができる。
【００４５】
ところで、以上の説明では、係止金具２０を荷台１１の間隙２４に係止させることで足場１を荷台１１に直接取り付けたが、足場１の垂直支柱２ｂの上下に係止金具５、２０がそれぞれ設けられていることから、例えば係止金具５を軽トラック１０の荷台１１の前面（運転席の後面）に設けられている水平なガードバーに係止させて、足場板３を荷物の載置板等として使用する等、足場１の２つの係止金具５、２０を選択して荷台１１の適宜位置に取り付けて使用することができる。
【００４６】
この実施形態の足場１においても、前記実施形態の足場１と略同様の作用効果が得られる他に、係止金具２０を荷台１１に直接係止することで、垂直支柱２bの上部を手摺りとして使用しつつ、足場板３を介して荷台１１への乗降を行うことができ、足場１をステップとしてトラック１０の荷台１１に対する各種作業を行うことができる。その結果、前述した苗箱の出し入れ作業以外の、例えば荷台１１への荷物の搭載や降ろし作業等の各種作業を、例えば高齢者であっても足場１を利用して安全かつスムーズに行うこと等ができる。また、係止金具２０が垂直支柱２ｂに対して着脱可能に取り付けられているため、係止金具２０を取り外すことで、垂直支柱２ｂの上部の係止金具５をあおり１１ａの上端に確実かつ安定した状態で係止できると共に、２つの係止金具５、２０の選択使用により足場１自体の使い勝手等を向上させることが可能になる。
【００４７】
なお、本発明は、前記した各実施形態のそれぞれに限定されるものではなく、各実施形態の全部もしくは一部を適宜に組み合わせた構成としても良い。また、前記各実施形態においては、足場板３の前端部のリブ３ｂが傾斜支柱２ｃに当接することで足場板３の移動を規制したが、例えば水平支柱２ａに足場板３の移動を規制するためのストッパを別途設ける構成としても良い。さらに、前記各実施形態における、各足場支柱２や足場板３の各寸法等の形状、足場板３の滑り止めの形態等は一例であって、例えば足場板３を長さ調節可能に構成したり、足場板３の調節リブ３ｂを板体３ａの外周略全域に設けたり、あるいは足場板３の係止金具６を板体３ａの両端部裏面ではなく両端部側面に設ける等、同等の作用効果が得られる適宜の構成を採用することができる。
【産業上の利用可能性】
【００４８】
本発明は、苗箱収納用の収納棚が搭載された軽トラックの荷台のあおりに係止される足場に限らず、各種トラックのあおり等の荷台の適宜位置に係止されて各種作業に使用される足場にも利用できるし、苗箱以外の物品を収納可能な収納棚にも利用できる。
【符号の説明】
【００４９】
１・・・・・・足場
２・・・・・・足場支柱
２ａ・・・・・水平支柱
２ａ１・・・・足場板載置部
２ｂ・・・・・垂直支柱
２ｃ・・・・・傾斜支柱
２ｄ・・・・・脚支柱
２ｄ１・・・・接地板
２ｄ２・・・・高さ調節用脚支柱
３・・・・・・足場
３ａ・・・・・板体
３ｂ・・・・・リブ
３ｃ・・・・・突起部
４・・・・・・樹脂製キャップ
５・・・・・・係止金具
６・・・・・・係止金具
７・・・・・・緩衝材
８・・・・・・緩衝材
１０・・・・・軽トラック
１１・・・・・荷台
１１ａ・・・・あおり
１１ａ１・・・後面あおり
１１ｂ・・・・緩衝材
１２・・・・・収納棚
１２ａ・・・・垂直支柱
１２ｂ・・・・水平支柱
１５・・・・・ピン
１８・・・・・蝶ボルト
２０・・・・・係止金具
２１・・・・・ボルト
２２・・・・・ナット
２３・・・・・取付孔
２４・・・・・間隙
２５・・・・・ヒンジ
【図１】
0005728254.tif 000002
【図２】
0005728254.tif 000003
【図３】
0005728254.tif 000004
【図４】
0005728254.tif 000005
【図５】
0005728254.tif 000006
【図６】
0005728254.tif 000007
【図７】
0005728254.tif 000008
【図８】
0005728254.tif 000009
【図９】
0005728254.tif 000010
【図１０】
0005728254.tif 000011
【図１１】
0005728254.tif 000012
【図１２】
0005728254.tif 000013
【図１３】
0005728254.tif 000014
【図１４】
0005728254.tif 000015
【図１５】
0005728254.tif 000016